(57)【要約】【課題】ユーザの利便性がよい録画ができる電子機器及び電子機器の制御方法を提供すること。【解決手段】本発明の一態様に係る電子機器は、複数チャンネルの番組を同時に録画する第１の録画方法及び番組を個別に録画する第２の録画方法により、前記番組を複数の記憶媒体に録画する電子機器であって、放送信号からチャンネルを選局する複数のチューナと、前記複数のチューナで選局されるチャンネルの番組が録画される複数の記憶媒体と、前記番組の録画先の記憶媒体を、チャンネルごとに前記複数の記憶媒体の中から決定する決定部と、前記複数の記憶媒体の各記憶容量情報を取得する容量取得部と、取得した記憶容量情報及び録画先の記憶媒体に割り当てられたチャンネル数に基づいて、前記複数の記憶媒体の各録画容量を算出する録画容量算出部と、算出された各録画容量を表示するよう制御する表示制御部と、を備える。【選択図】図１
2014049915.tif 000002
【特許請求の範囲】
【請求項１】
複数チャンネルの番組を同時に録画する第１の録画方法及び番組を個別に録画する第２の録画方法により、前記番組を複数の記憶媒体に録画する電子機器であって、
放送信号からチャンネルを選局する複数のチューナと、
前記複数のチューナで選局されるチャンネルの番組が録画される複数の記憶媒体と、
前記番組の録画先の記憶媒体を、チャンネルごとに前記複数の記憶媒体の中から決定する決定部と、
前記複数の記憶媒体の各記憶容量情報を取得する容量取得部と、
取得した記憶容量情報及び録画先の記憶媒体に割り当てられたチャンネル数に基づいて、前記複数の記憶媒体の各録画容量を算出する録画容量算出部と、
算出された各録画容量を表示するよう制御する表示制御部と、
を備える電子機器。
【請求項２】
前記録画容量算出部は、
取得した記憶容量情報及び録画先の記憶媒体に割り当てられたチャンネル数に基づいて、各記憶媒体の録画容量及び録画可能時間の少なくとも一方を算出する請求項１に記載の電子機器。
【請求項３】
前記決定部は、
前記番組を前記第１の録画方法で録画する場合、前記番組の録画先の記憶媒体を、チャンネルごとに前記複数の記憶媒体の中から決定する請求項１又は請求項２に記載の電子機器。
【請求項４】
前記複数の記憶媒体の接続又は接続解除を検知する検知部をさらに備え、
前記決定部は、
前記検知部での検知結果に基づいて、前記番組の録画先の記憶媒体を、前記記憶媒体の中から決定しなおす請求項１乃至請求項３のいずれか１項に記載の電子機器。
【請求項５】
前記第１，第２の録画方法のいずれをメインの録画方法とするかを受け付ける第１の操作受付部を備え、
前記決定部は、
前記第１の操作受付部での受け付け結果に応じて、前記複数の記憶媒体のうち最も記憶容量の大きな記憶媒体を、前記第１の録画方法又は第２の録画方法による番組の録画先の記憶媒体として決定する請求項１乃至請求項３のいずれか１項に記載の電子機器。
【請求項６】
前記記憶媒体への前記番組の録画の割り当てを受け付ける第２の操作受付部を備え、
前記決定部は、
前記第２の操作受付部での受け付け結果に応じて、前記番組の録画先の記憶媒体を、前記複数の記憶媒体の中から決定する請求項１乃至請求項３のいずれか１項に記載の電子機器。
【請求項７】
前記記憶媒体は、前記電子機器の端子に接続される外付け記憶媒体である請求項１乃至請求項６のいずれか１項に記載の電子機器。
【請求項８】
複数チャンネルの番組を同時に録画する第１の録画方法及び番組を個別に録画する第２の録画方法により、前記番組を複数の記憶媒体に録画する電子機器の制御方法であって、
複数のチューナが、放送信号からチャンネルを選局し、
前記複数のチューナで選局されるチャンネルの番組を複数の記憶媒体に録画し、
決定部が、前記番組の録画先を、チャンネルごとに前記複数の記憶媒体の中から決定し
容量取得部が、前記複数の記憶媒体の各記憶容量情報を取得し、、
録画容量算出部が、取得した記憶容量情報及び録画先の記憶媒体に割り当てられたチャンネル数に基づいて、前記複数の記憶媒体の各録画容量を算出し、
表示制御部が、算出された各録画容量を表示するよう制御する電子機器の制御方法。
【発明の詳細な説明】
【技術分野】
【０００１】
本発明の実施形態は、電子機器及び該電子機器の制御方法に関する。
【背景技術】
【０００２】
従来の電子機器（例えば、デジタルテレビ）には、複数のチューナを備え、複数のチャンネルの番組を同時に録画（いわゆる丸録り）するものがある。複数のチャンネルを同時に録画することで、番組の見逃しなどを防止することができ、ユーザの利便性が向上する。
【０００３】
しかし丸録りする場合、大量のデータが記憶媒体（例えば、Hard Disk Drive）に記憶されることになる。このため、従来の電子機器には、記憶媒体の書き込み可能時間（残容量）と、番組の録画に必要な時間とをユーザに提示するものや、記憶媒体の書き込み可能時間（残容量）が所定の値を下回ると、その旨をユーザに提示することが提案されている。
【先行技術文献】
【特許文献】
【０００４】
【特許文献１】特開２００９−２８３１３３号公報
【特許文献２】特開２００１−３０７４６５号公報
【特許文献３】特開２０１１−４８８８１号公報
【発明の概要】
【発明が解決しようとする課題】
【０００５】
以上のように、従来からユーザの利便性がよい録画ができる電子機器及び電子機器の制御方法を提供することを目的とする。
【課題を解決するための手段】
【０００６】
実施形態に係る電子機器は、複数チャンネルの番組を同時に録画する第１の録画方法及び番組を個別に録画する第２の録画方法により、前記番組を複数の記憶媒体に録画する電子機器であって、放送信号からチャンネルを選局する複数のチューナと、前記複数のチューナで選局されるチャンネルの番組が録画される複数の記憶媒体と、前記番組の録画先の記憶媒体を、チャンネルごとに前記複数の記憶媒体の中から決定する決定部と、前記複数の記憶媒体の各記憶容量情報を取得する容量取得部と、取得した記憶容量情報及び録画先の記憶媒体に割り当てられたチャンネル数に基づいて、前記複数の記憶媒体の各録画容量を算出する録画容量算出部と、算出された各録画容量を表示するよう制御する表示制御部と、を備える。
【図面の簡単な説明】
【０００７】
【図１】実施形態に係る電子機器の構成図である。
【図２】実施形態に係る電子機器の動作を示すフローチャートの一例である。
【図３】実施形態に係る電子機器により表示される設定画面の一例である。
【図４】実施形態に係る電子機器の動作を示すフローチャートの一例である。
【図５】実施形態に係る電子機器により表示される画面の一例である。
【図６】実施形態に係る電子機器により表示される画面の一例である。
【図７】実施形態に係る電子機器の動作を示すフローチャートの一例である。
【図８】実施形態に係る電子機器により表示される画面の一例である。
【図９】実施形態に係る電子機器の動作を示すフローチャートの一例である。
【図１０】実施形態に係る電子機器により表示される画面の一例である。
【図１１】実施形態に係る電子機器の動作を示すフローチャートの一例である。
【図１２】実施形態に係る電子機器により表示される画面の一例である。
【図１３】実施形態に係る電子機器の動作を示すフローチャートの一例である。
【図１４】実施形態に係る電子機器により表示される画面の一例である。
【図１５】実施形態に係る電子機器により表示される画面の一例である。
【図１６】実施形態に係る電子機器の動作を示すフローチャートの一例である。
【図１７】実施形態に係る電子機器により表示される画面の一例である。
【図１８】実施形態に係る電子機器により表示される画面の一例である。
【図１９】実施形態に係る電子機器により表示される画面の一例である。
【図２０】実施形態に係る電子機器により表示される画面の一例である。
【発明を実施するための形態】
【０００８】
以下、図面を参照して、本発明の実施形態を詳細に説明する。
（実施形態）
図１は、実施形態に係る電子機器１００の構成図である。図１には、電子機器の一例としてデジタルテレビを例に、その構成を説明する。
【０００９】
（電子機器１００の構成）
実施形態に係る電子機器１００は、選局回路１０１、復調回路１０２、信号処理回路１０３、グラフィック処理回路１０４、on screen display(OSD)信号生成回路１０５、音声処理回路１０６、スピーカ１０７、映像処理回路１０８、ディスプレイ１０９、制御回路１１０（決定部、容量取得部、録画容量算出部、表示制御部）、操作部１１１（受付手段）、受光部１１２（受付手段）、端子１１３Ａ，１１３Ｂ、通信インターフェース（Ｉ／Ｆ）１１４Ａ，１１４Ｂを備える。
【００１０】
選局回路１０１は、複数のチューナ１０１Ａ〜１０１Ｄを備える。各チューナ１０１Ａ〜１０１Ｄは、制御回路１１０からの制御信号により、地上波放送受信用のアンテナ１又はＢＳ／ＣＳデジタル放送受信用のアンテナ２で受信したデジタルテレビジョン放送から所望のチャンネルの放送信号を選局する。
【００１１】
復調回路１０２は、選局回路１０１から入力される放送信号を復調する。復調回路１０２は、選局回路１０１から入力される放送信号が地上波である場合、orthogonal frequency division multiplexing(OFDM)復調を行い、選局回路１０１から入力される放送信号がＢＳ／ＣＳデジタル放送波である場合、phase shift keying(PSK)復調を行う。
【００１２】
信号処理回路１０３は、復調回路１０２から入力される復調後の放送信号から、映像信号及び音声信号を生成する。信号処理回路１０３は、映像信号をグラフィック処理回路１０４に出力し、音声信号を音声処理回路１０６に出力する。
【００１３】
ＯＳＤ信号生成回路１０５は、制御回路１１０からの制御信号により、ＯＳＤ信号を生成しグラフィック処理回路１０４へ出力する。
【００１４】
グラフィック処理回路１０４は、信号処理回路１０３から出力される映像信号及びＯＳＤ信号生成回路１０５で生成されるＯＳＤ信号の少なくとも一方を映像処理回路１０８へ出力する。映像処理回路１０８は、入力される映像信号やＯＳＤ信号等をディスプレイ１０９で表示可能なフォーマットに変換した後、ディスプレイ１０９に出力して映像表示させる。
【００１５】
音声処理回路１０６は、入力される音声信号をスピーカ１０７で再生可能なフォーマットに変換した後、スピーカ１０７に出力して音声再生させる。
【００１６】
操作部１１１には、電子機器１００を操作するための複数の操作キー（例えば、カーソルキー、決定キー、ＢＡＣＫキー、登録キー、カラーキー（赤、緑、黄、青）等）が配列されている。ユーザは、この操作部１１１が有する操作キーを操作して所望の動作を行うことができる。操作部１１１は、操作キーが操作されると、該操作に対応する操作信号を制御回路１１０へ出力する。
【００１７】
受光部１１２は、リモートコントローラ３（以下、リモコン３と称する）から送信される赤外線信号を受信する。受光部１１２は、この受信した赤外線信号に応じた操作信号を制御回路１１０へ出力する。リモコン３には、複数の操作キー（例えば、カーソルキー、決定キー、ＢＡＣＫキー、登録キー、カラーキー（赤、緑、黄、青）等）が配列されている。ユーザが、操作キーを押し下げすることで所望の操作を行うと、該操作に対応した赤外線信号が発光される。
【００１８】
端子１１３Ａ，１１３Ｂは、外付け記憶媒体（例えば、外付けHard Disk Drive(HDD)）を接続するためのUniversal Serial Bus(USB)端子である。なお、電子機器１００に設けられる端子数は２つに限らず、１つでもよいし、３つ以上でもよい。また、図１では、外付け記憶媒体として２つのＨＤＤ（ＨＤＤ−Ａ，ＨＤＤ−Ｂ）が端子１１３Ａ，１１３Ｂに接続されている場合を例示している。
【００１９】
通信Ｉ／Ｆ１１４Ａ，１１４Ｂは、端子１１３Ａ，１１３Ｂに接続された外付け記憶媒体（ＨＤＤ−Ａ，ＨＤＤ−Ｂ）との通信インターフェースである。通信Ｉ／Ｆ１１４Ａ，１１４Ｂは、制御回路１１０と外付け記憶媒体（ＨＤＤ−Ａ，ＨＤＤ−Ｂ）との間でデータ等のフォーマットの変換を行う。
【００２０】
制御回路１１０は、ＲＯＭ（Read Only Memory）１１０Ａ、ＲＡＭ（Random Access Memory）１１０Ｂ、不揮発性メモリ１１０Ｃ、ＣＰＵ１１０Ｄを備える。ＲＯＭ１１０Ａには、ＣＰＵ１１０Ｄが実行する制御プログラムが格納されている。ＲＡＭ１１０Ｂは、ＣＰＵ１１０Ｄの作業エリアとして機能する。不揮発性メモリ１１０Ｃには、各種の設定情報や制御情報等が格納されている。
【００２１】
以下の表１は、不揮発性メモリ１１０Ｃに記憶されているデータの一例を示す図である。表１のデータは、後述のタイムシフト録画を設定する際に使用される。なお、表１では、２つの外付け記憶媒体（ＨＤＤ−Ａ（１ＴＢ），ＨＤＤ−Ｂ（２ＴＢ））が接続されている場合のデータを例示している。また、電子機器１００に外付け記憶媒体が３台以上接続される場合には、接続される台数に応じたデータを不揮発性メモリ１１０Ｃに記憶させればよい。
【００２２】
【表１】
2014049915.tif 000003
【００２３】
制御回路１１０は、電子機器１００全体を制御する。例えば、制御回路１１０は、操作部１１１及び受光部１１２から入力される操作信号に対応する動作を行うように電子機器１００全体を制御する。
【００２４】
（録画方法の設定）
図２は、録画方法の設定動作を説明するためのフローチャートである。図３は、録画方法の設定時にディスプレイ１０９に提示される画面である。以下、図２及び図３を参照して、録画方法の設定について説明する。なお、以下の説明では、外付け記憶媒体として、ＨＤＤを例に説明する。
【００２５】
初めに、ユーザの操作部１１１又はリモコン３の操作により、図３に示す設定画面の表示指示を受け付けると（ステップＳ１０１）、制御回路１１０は、図３に示す設定画面をディスプレイ１０９に表示するようＯＳＤ信号生成回路１０５へ指示する。
【００２６】
ＯＳＤ信号生成回路１０５は、制御回路１１０の指示に基づいて、図３に示す設定画面に対応するＯＳＤ信号を生成し、グラフィック処理回路１０４に出力する。グラフィック処理回路１０４は、ＯＳＤ信号生成回路１０５から出力されるＯＳＤ信号を映像処理回路１０８へ出力する（ステップＳ１０２）。
【００２７】
映像処理回路１０８は、グラフィック処理回路１０４から出力されるＯＳＤ信号をディスプレイ１０９で表示可能なフォーマットに変換した後、ディスプレイ１０９に出力し、図３に示す設定画面をディスプレイ１０９に表示させる（ステップＳ１０３）。
【００２８】
次に、ユーザの操作部１１１又はリモコン３の操作により、電子機器１００に接続されている外付け記憶媒体の使用方法の選択を受け付ける（ステップＳ１０４）。
【００２９】
（予約録画が選択された場合）
図４は、番組を個別に指定して録画する予約録画（第２の録画方法）が選択された場合の電子機器１００の動作を示すフローチャートである。図５，図６は、予約録画が選択された場合に、ディスプレイ１０９に表示される画面の一例である。以下、図４〜図６を参照して、予約録画が選択された場合の電子機器１００の動作を説明する。
【００３０】
予約録画が選択された場合（図２のステップＳ１０４のＡ）、制御回路１１０は、電子機器１００に接続されている外付け記憶媒体の数と、各外付け記憶媒体の記憶容量の情報（記憶容量情報）を取得する（ステップＳ２０１）。次に、制御回路１１０は、取得した各外付け記憶媒体の記憶容量情報に基づき、各記憶媒体の最大録画可能時間を算出する（ステップＳ２０２）。
【００３１】
通常、１ＴＢ（テラバイト）につき１００時間分の録画が可能であることから、例えば、接続されている外付け記憶媒体の記憶容量が１ＴＢ（テラバイト）の場合、制御回路１１０は、最大録画可能時間を１００時間と算出する。また、接続されている外付け記憶媒体の記憶容量が２ＴＢであれば、２００時間と算出する。
【００３２】
次に、制御回路１１０は、取得した外付け記憶媒体の数と、各外付け記憶媒体の記憶容量、及び算出した各外付け記憶媒体の最大録画可能時間に基づいて、図５に示す画面をディスプレイに表示するようＯＳＤ信号生成回路１０５へ指示する（ステップＳ２０３）。ＯＳＤ信号生成回路１０５は、制御回路１１０の指示に基づいて、図５に示す画面に対応するＯＳＤ信号を生成し、グラフィック処理回路１０４に出力する。グラフィック処理回路１０４は、ＯＳＤ信号生成回路１０５から出力されるＯＳＤ信号を映像処理回路１０８へ出力する（ステップＳ２０４）。
【００３３】
映像処理回路１０８は、グラフィック処理回路１０４から出力されるＯＳＤ信号をディスプレイ１０９で表示可能なフォーマットに変換した後、ディスプレイ１０９に出力し、図５に示す画面をディスプレイ１０９に表示させる（ステップＳ２０５）。
【００３４】
図５に示すように、ディスプレイ１０９には、電子機器１００に接続されている外付け記憶媒体の数、各外付け記憶媒体の記憶容量及び最大録画可能時間が提示される。このため、ユーザは、電子機器１００に接続されている外付け記憶媒体の数及び各外付け記憶媒体の最大録画可能時間を容易に把握することができ、利便性が向上する。
【００３５】
なお、接続されている外付け記憶媒体の数が多く、一画面ですべての外付け記憶媒体を表示できない場合、ユーザは、操作部１１１又はリモコン３を操作して、画面を左右にスクロールさせることで、すべての外付け記憶媒体の最大録画可能時間を参照することができる。例えば、電子機器１００に３つの外付け記憶媒体が接続されている場合、１画面に図５に示すように２つの外付け記憶媒体しか表示できないときは、画面を右にスクロールさせると、図６に示すように、残りの外付け記憶媒体が表示されるように構成してもよい。
【００３６】
（タイムシフト録画が選択された場合）
図７は、複数のチャンネルの番組を同時に時系列に録画するタイムシフト録画（第１の録画方法）が選択された場合の電子機器１００の動作を示すフローチャートである。図８は、タイムシフト録画が選択された場合に、ディスプレイ１０９に表示される画面の一例である。以下、図７，図８を参照して、タイムシフト録画が選択された場合の電子機器１００の動作を説明する。
【００３７】
タイムシフト録画が選択された場合（図２のステップＳ１０４のＢ）、制御回路１１０は、図８に示す画面をディスプレイに表示するようＯＳＤ信号生成回路１０５へ指示する（ステップＳ３０１）。ＯＳＤ信号生成回路１０５は、制御回路１１０の指示に基づいて、図８に示す画面に対応するＯＳＤ信号を生成し、グラフィック処理回路１０４に出力する。グラフィック処理回路１０４は、ＯＳＤ信号生成回路１０５から出力されるＯＳＤ信号を映像処理回路１０８へ出力する（ステップＳ３０２）。
【００３８】
映像処理回路１０８は、グラフィック処理回路１０４から出力されるＯＳＤ信号をディスプレイ１０９で表示可能なフォーマットに変換した後、ディスプレイ１０９に出力し、図８に示す画面をディスプレイ１０９に表示させる（ステップＳ３０３）。その結果、ディスプレイ１０９には、図８に示すように、３つの録画方法が提示される。制御回路１１０は、ユーザによる録画方法の選択を受け付ける（ステップＳ３０４）。
【００３９】
（１．が選択された場合）
図９は、図８に示す「１．特定チャンネルのみ多くとりたい。」が選択された場合の電子機器１００の動作を示すフローチャートである。また、図１０は、「１．特定チャンネルのみ多くとりたい。」が選択された場合に、ディスプレイ１０９に表示される画面の一例である。以下、図９，図１０を参照して、「１．特定チャンネルのみ多くとりたい。」が選択された場合の動作について説明する。
【００４０】
「１．特定チャンネルのみ多くとりたい。」の選択が受け付けられた場合（図７のステップＳ３０４のＸ）、制御回路１１０は、ユーザによる録画したいチャンネルの選択を受け付ける（ステップＳ４０１）。
【００４１】
次に、制御回路１１０は、不揮発性メモリ１１０Ｃに記憶されている表１を参照して、ステップＳ４０１で受け付けたチャンネル数のうち、特定のチャンネルの録画時間が最も長くなる組み合わせを選択する（ステップＳ４０２）。例えば、選択されたチャンネルが５チャンネルで、接続されている外付け記憶媒体が２つ（１ＴＢ，２ＴＢ）の場合、制御回路１１０は、表１のＮｏ．１８の組み合わせを選択する。
【００４２】
次に、制御回路１１０は、図１０に示す画面を表示するようにＯＳＤ信号生成回路１０５へ指示する（ステップＳ４０３）。ＯＳＤ信号生成回路１０５は、制御回路１１０の指示に基づいて、図１０に示す画面に対応するＯＳＤ信号を生成し、グラフィック処理回路１０４に出力する。グラフィック処理回路１０４は、ＯＳＤ信号生成回路１０５から出力されるＯＳＤ信号を映像処理回路１０８へ出力する（ステップＳ４０４）。
【００４３】
映像処理回路１０８は、グラフィック処理回路１０４から出力されるＯＳＤ信号をディスプレイ１０９で表示可能なフォーマットに変換した後、ディスプレイ１０９に出力し、図１０に示す画面をディスプレイ１０９に表示させる（ステップＳ４０５）。
【００４４】
図１０は、端子１１３Ａに記憶容量が１ＴＢのＨＤＤ−Ａ、端子１１３Ｂに記憶容量が２ＴＢのＨＤＤ−Ｂがそれぞれ接続された場合の例を示している。図１０に示す例では、端子１１３Ａに接続されたＨＤＤ−Ａに２チャンネルが、端子１１３Ｂに接続されたＨＤＤ−Ｂに３チャンネルが録画されるように割り当てられている。
【００４５】
（２．が選択された場合）
図１１は、図８に示す「２．すべておなじ分だけ、録画したい。」が選択された場合の電子機器１００の動作を示すフローチャートである。また、図１２は、「２．すべておなじ分だけ、録画したい。」が選択された場合に、ディスプレイ１０９に表示される画面の一例である。以下、図１１，図１２を参照して、「２．すべておなじ分だけ、録画したい。」が選択された場合の動作について説明する。
【００４６】
「２．すべておなじ分だけ、録画したい。」が選択された場合（図７のステップＳ３０４のＹ）、制御回路１１０は、ユーザによる録画したいチャンネルの選択を受け付ける（ステップＳ５０１）。
【００４７】
次に、制御回路１１０は、不揮発性メモリ１１０Ｃに記憶されている表１を参照して、受け付けた選択されたチャンネル数のうち、１チャンネルの差分が最も少ない組み合わせを選択する（ステップＳ５０２）。例えば、選択されたチャンネルが５チャンネルで、接続されている外付け記憶媒体が２つ（１ＴＢ，２ＴＢ）の場合、制御回路１１０は、表１のＮｏ．１７の組み合わせを選択する。
【００４８】
次に、制御回路１１０は、図１２に示す画面を表示するようにＯＳＤ信号生成回路１０５へ指示する（ステップＳ３１２）。ＯＳＤ信号生成回路１０５は、制御回路１１０の指示に基づいて、図１２に示す画面に対応するＯＳＤ信号を生成し、グラフィック処理回路１０４に出力する。グラフィック処理回路１０４は、ＯＳＤ信号生成回路１０５から出力されるＯＳＤ信号を映像処理回路１０８へ出力する（ステップＳ５０４）。
【００４９】
映像処理回路１０８は、グラフィック処理回路１０４から出力されるＯＳＤ信号をディスプレイ１０９で表示可能なフォーマットに変換した後、ディスプレイ１０９に出力し、図１２に示す画面をディスプレイ１０９に表示させる（ステップＳ５０５）。
【００５０】
図１２は、端子１１３Ａに記憶容量が１ＴＢのＨＤＤ−Ａ、端子１１３Ｂに記憶容量が２ＴＢのＨＤＤ−Ｂがそれぞれ接続された場合の例を示している。図１２に示す例では、端子１１３Ａに接続されたＨＤＤ−Ａに２チャンネルが、端子１１３Ｂに接続されたＨＤＤＤ−Ｂに３チャンネルが録画されるように割り当てられていることがわかる。
【００５１】
（３．が選択された場合）
図１３は、図８に示す「３．自分で設定する。」が選択された場合の電子機器１００の動作を示すフローチャートである。また、図１４は、「３．自分で設定する。」が選択された場合に、ディスプレイ１０９に表示される画面の一例である。以下、図１３，図１４を参照して、「３．自分で設定する。」が選択された場合の動作について説明する。
【００５２】
「３．自分で設定する。」の選択を受け付けた場合（図７のステップＳ３０４のＺ）、制御回路１１０は、図１４に示す設定画面をディスプレイ１０９に表示するようＯＳＤ信号生成回路１０５へ指示する（ステップＳ６０１）。
【００５３】
ＯＳＤ信号生成回路１０５は、制御回路１１０の指示に基づいて、図１４に示す設定画面に対応するＯＳＤ信号を生成し、グラフィック処理回路１０４に出力する。グラフィック処理回路１０４は、ＯＳＤ信号生成回路１０５から出力されるＯＳＤ信号を映像処理回路１０８へ出力する（ステップＳ６０２）。
【００５４】
映像処理回路１０８は、グラフィック処理回路１０４から出力されるＯＳＤ信号をディスプレイ１０９で表示可能なフォーマットに変換した後、ディスプレイ１０９に出力し、図１４に示す設定画面をディスプレイ１０９に表示させる（ステップＳ６０３）。なお、図１４では、電子機器１００に２つの外付け記憶媒体（ＨＤＤ‐Ａ，ＨＤＤ‐Ｂ）が接続されている例を示している。
【００５５】
次に、ユーザの操作部１１１又はリモコン３の操作による外付け記憶媒体へのチャンネルの割り当てを受け付ける（ステップＳ６０４）。この実施形態では、図１４に示すように、カーソルキーで、チェックボックスを選択して決定キーを押すことにより、各チャンネルを所望の外付け記憶媒体に割り当てることができる。図１４に示す例では、チャンネル１、２、４がＨＤＤ‐Ａに割り当てられ、チャンネル５、６、７がＨＤＤ‐Ｂに割り当てられている。
【００５６】
なお、図１４に示す例では、一つの外付け記憶媒体に割り当て可能なチャンネル数が最大３チャンネルまでとなっている。これは、ＵＳＢ端子を用いて外付け記憶媒体を接続する場合、ＵＳＢによるデータ転送の帯域が最大３チャンネルまでしか対応していないためである。また、同じ理由（データ転送の帯域）により、電子機器１００には、外付け記憶媒体を最大２つまでしか接続できない。このため、この実施形態に係る電子機器１００では、録画できるチャンネル数は最大６チャンネルとなる。
【００５７】
なお、この実施形態では、一つの外付け記憶媒体に３つ以上のチャンネルを割り当てようとした場合、「指定のＨＤＤにこれ以上チャンネルを設定できません。」との警告文がディスプレイ１０９に表示される。また、電子機器１００の最大チャンネル数である６チャンネルを超えてチャンネルを割り当てようとした場合には、「これ以上チャンネルを設定できません。」」との警告文がディスプレイ１０９に表示される。
【００５８】
なお、データ転送の帯域に問題がなければ、１つの外付け記憶媒体へ録画するチャンネル数は、特に制限されない。また、電子機器１００全体の録画可能チャンネル数も、特に制限されない。この場合、上記警告文を表示する必要はない。
【００５９】
録画するチャンネルが外付け記憶媒体に割り当てられる度、つまり図１４のチェックボックスにチェックが入る、もしくはチェックが解除される度に、制御回路１１０は、電子機器１００に接続されている外付け記憶媒体の録画可能時間を算出する（ステップＳ６０５）。
【００６０】
具体的には、制御回路１１０は、電子機器１００に接続されている各外付け記憶媒体から記憶容量の情報を取得する。次に、制御回路１１０は、取得した記憶容量から各外付け記憶媒体の最大録画可能時間を算出し、該最大録画可能時間を割り当てられているチャンネル数で除算して録画可能時間（視聴可能時間）を算出する。つまり、制御回路１１０は、取得した記憶容量情報及び録画先の記憶媒体に割り当てられたチャンネル数に基づいて、外付け記憶媒体の各録画容量を算出する。
【００６１】
例えば、図１４に示すＨＤＤ‐Ａ，ＨＤＤ‐Ｂの記憶容量がそれぞれ１ＴＢ、２ＴＢであるとした場合、通常、１ＴＢ（テラバイト）につき１００時間分の録画が可能であることから、制御回路１１０は、ＨＤＤ‐Ａ，ＨＤＤ‐Ｂの最大録画可能時間をそれぞれ１００時間，２００時間と算出し、割り当てられているチャンネル数である３で除算した時間をＨＤＤ‐Ａ，ＨＤＤ‐Ｂの録画可能時間（視聴可能時間）とする。
【００６２】
制御回路１１０は、算出した各外付け記憶媒体の録画可能時間（視聴可能時間）を更新した設定画面をディスプレイ１０９に表示するよう、ＯＳＤ信号生成回路１０５へ指示する。ＯＳＤ信号生成回路１０５は、制御回路１１０の指示に基づいて、録画可能時間を更新した設定画面に対応するＯＳＤ信号を生成し、グラフィック処理回路１０４に出力する。グラフィック処理回路１０４は、ＯＳＤ信号生成回路１０５から出力されるＯＳＤ信号を映像処理回路１０８へ出力する。
【００６３】
映像処理回路１０８は、グラフィック処理回路１０４から出力されるＯＳＤ信号をディスプレイ１０９で表示可能なフォーマットに変換した後、ディスプレイ１０９に出力し、録画可能時間を更新した設定画面をディスプレイ１０９に表示させる（ステップＳ６０６）。
【００６４】
制御回路１１０は、外付け記憶媒体へのチャンネルの割り当ての設定が完了が終了したかどうかを判定する（ステップＳ６０６）。図１４において、「設定完了」が選択されている場合、制御回路１１０は、設定動作を終了する（ステップＳ６０６のＹｅｓ）。また、図１４において、「設定完了」が選択されていない場合、制御回路１１０は、設定動作を継続する（ステップＳ６０６のＮｏ）。
【００６５】
（録画番組の表示）
次に、電子機器１００の過去番組表（録画番組表）について説明する。図１５は、過去番組表の一例を示す図である。図１４に示す例では、電子機器１００に接続されている外付けＨＤＤ‐Ａ，ＨＤＤ‐Ｂの記憶容量が、それぞれ１ＴＢ，２ＴＢとなっている。つまり、ＨＤＤ‐Ｂは、ＨＤＤ‐Ａの２倍の記憶容量がある。このため、外付けＨＤＤ‐Ａに録画されているチャンネル１、２、４の番組表と、外付けＨＤＤ‐Ｂに録画されているチャンネル５、６、７の番組表とでは、録画可能時間が異なって表示される。
【００６６】
図１５に示す過去番組表では、外付けＨＤＤ‐Ａに録画されているチャンネル１、２、４の番組表が表示されず、外付けＨＤＤ‐Ｂに録画されているチャンネル５、６、７の番組表が表示されている。図１５に表示されている時間帯では、外付けＨＤＤ‐Ａに録画されている番組が存在しないためである。
【００６７】
一方、外付けＨＤＤ‐Ｂには、図１５に表示されている時間帯においても番組が録画されているため、図１５に示すように、録画されている番組の番組表が表示される。なお、この過去番組表は、外付けＨＤＤ‐Ａ，ＨＤＤ‐Ｂに番組とともに記憶されているメタデータから生成される。
【００６８】
（予約録画＋タイムシフト録画が選択された場合）
図１６は、予約録画＋タイムシフト録画が選択された場合の電子機器１００の動作を示すフローチャートである。図１７〜２０は、予約録画＋タイムシフト録画が選択された場合に、ディスプレイ１０９に表示される画面の一例である。以下、図１６〜図２０を参照して、予約録画＋タイムシフト録画が選択された場合の電子機器１００の動作を説明する。
【００６９】
タイムシフト録画が選択された場合（図２のステップＳ１０４のＣ）、制御回路１１０は、図１７に示す画面をディスプレイに表示するようＯＳＤ信号生成回路１０５へ指示する（ステップＳ７０１）。ＯＳＤ信号生成回路１０５は、制御回路１１０の指示に基づいて、図１７に示す画面に対応するＯＳＤ信号を生成し、グラフィック処理回路１０４に出力する。グラフィック処理回路１０４は、ＯＳＤ信号生成回路１０５から出力されるＯＳＤ信号を映像処理回路１０８へ出力する（ステップＳ７０２）。
【００７０】
映像処理回路１０８は、グラフィック処理回路１０４から出力されるＯＳＤ信号をディスプレイ１０９で表示可能なフォーマットに変換した後、ディスプレイ１０９に出力し、図１７に示す画面をディスプレイ１０９に表示させる（ステップＳ７０３）。その結果、ディスプレイ１０９には、図１７に示すように、３つの録画方法が提示される。制御回路１１０は、ユーザによる録画方法の選択を受け付ける（ステップＳ７０４）。
【００７１】
図１６のステップＳ７０４において、「１．予約録画をたくさんとる。」が選択された場合（ステップＳ７０４のα）、制御回路１１０は、電子機器１００に接続されている外付け記憶媒体のうち最も記憶容量の大きな外付け記憶媒体を、予約録画用の記憶媒体に設定する（ステップＳ７０５）。
【００７２】
次に、制御回路１１０は、図１８に示す画面を表示するようにＯＳＤ信号生成回路１０５へ指示する（ステップＳ７０５）。ＯＳＤ信号生成回路１０５は、制御回路１１０の指示に基づいて、図１８に示す画面に対応するＯＳＤ信号を生成し、グラフィック処理回路１０４に出力する。グラフィック処理回路１０４は、ＯＳＤ信号生成回路１０５から出力されるＯＳＤ信号を映像処理回路１０８へ出力する（ステップＳ７０６）。
【００７３】
映像処理回路１０８は、グラフィック処理回路１０４から出力されるＯＳＤ信号をディスプレイ１０９で表示可能なフォーマットに変換した後、ディスプレイ１０９に出力し、図１８に示す画面をディスプレイ１０９に表示させる（ステップＳ７０７）。
【００７４】
図１８は、記憶容量が１ＴＢと２ＴＢのＨＤＤが電子機器に接続されている場合に、ディスプレイ１０９に表示される画面の一例である。「１．予約録画をたくさんとる。」が選択された場合には、図１８に示すように、記憶容量が大きい２ＴＢのＨＤＤに予約録画が割り当てられ、記憶容量が小さい１ＴＢのＨＤＤにタイムシフト録画が割り当てられる。
【００７５】
図１６のステップＳ７０４において、「２．特定のタイムシフト番組を増やしたい。」が選択された場合（ステップＳ７０４のβ）、制御回路１１０は、電子機器１００に接続されている外付け記憶媒体のうち最も記憶容量の大きな外付け記憶媒体をタイムシフト録画用の外付け記憶媒体に設定する（ステップＳ７０８）。
【００７６】
次に、制御回路１１０は、図１９に示す画面を表示するようにＯＳＤ信号生成回路１０５へ指示する（ステップＳ７０９）。ＯＳＤ信号生成回路１０５は、制御回路１１０の指示に基づいて、図１９に示す画面に対応するＯＳＤ信号を生成し、グラフィック処理回路１０４に出力する。グラフィック処理回路１０４は、ＯＳＤ信号生成回路１０５から出力されるＯＳＤ信号を映像処理回路１０８へ出力する（ステップＳ７１０）。
【００７７】
映像処理回路１０８は、グラフィック処理回路１０４から出力されるＯＳＤ信号をディスプレイ１０９で表示可能なフォーマットに変換した後、ディスプレイ１０９に出力し、図１９に示す画面をディスプレイ１０９に表示させる（ステップＳ７１１）。
【００７８】
図１９は、記憶容量が１ＴＢと２ＴＢのＨＤＤが電子機器に接続されている場合に、ディスプレイ１０９に表示される画面の一例である。「２．特定のタイムシフト番組を増やしたい。」が選択された場合には、図１９に示すように、記憶容量が大きい２ＴＢのＨＤＤにタイムシフト録画が割り当てられ、記憶容量が小さい１ＴＢのＨＤＤに予約録画が割り当てられる。
【００７９】
図１６のステップＳ７０４において、「３．自分で選択する。」が選択された場合（ステップＳ４０４のγ）、制御回路１１０は、電子機器１００に接続されているすべての外付け記憶媒体を表示した画面をディスプレイ１０９に表示するようＯＳＤ信号生成回路１０５へ指示する（ステップＳ７１２）。
【００８０】
ＯＳＤ信号生成回路１０５は、制御回路１１０の指示に基づいて、図２０に示す設定画面に対応するＯＳＤ信号を生成し、グラフィック処理回路１０４に出力する。グラフィック処理回路１０４は、ＯＳＤ信号生成回路１０５から出力されるＯＳＤ信号を映像処理回路１０８へ出力する（ステップＳ７１３）。
【００８１】
映像処理回路１０８は、グラフィック処理回路１０４から出力されるＯＳＤ信号をディスプレイ１０９で表示可能なフォーマットに変換した後、ディスプレイ１０９に出力し、図２０に示す設定画面をディスプレイ１０９に表示させる（ステップＳ７１４）。次に、制御回路１１０は、ユーザによる外付け記憶媒体の選択を受け付ける（ステップＳ７１５）。
【００８２】
図２０は、記憶容量が１ＴＢと２ＴＢのＨＤＤが電子機器に接続されている場合に、ディスプレイ１０９に表示される画面の一例である。「３．自分で設定する。」が選択された場合には、ユーザは、図２０に示すに提示されている２つのＨＤＤのうちどれを予約録画用とし、どれをタイムシフト録画用とするかを設定する。
【００８３】
以上のように、実施形態に係る電子機器１００は、接続された外付け記憶媒体の記憶容量と、割り当てられたチャンネル数に応じて、各外付け記憶媒体の録画可能時間を表示する。このため、ユーザは、現在接続されている外付け記憶媒体で何時間番組を視聴できるかを容易に理解することができる。この結果、ユーザの利便性が向上する。
【００８４】
また、チャンネルを割り当てるたびに、各外付け記憶媒体の録画可能時間が更新されるので、ユーザの利便性が向上する。さらに、電子機器１００に新たに外付け記憶媒体を接続した場合や取り外した場合、外付け記憶媒体を取り換えた場合にも、各外付け記憶媒体の録画可能時間が更新されるので、ユーザの利便性がさらに向上する。
【００８５】
さらに、ユーザの選択操作、言い換えるとユーザの好みに応じて、タイムシフト録画と予約録画を外付け記憶媒体に割り当てて提示するので、ユーザの利便性が向上する。
【００８６】
なお、上記実施形態では、外付け記憶媒体だけに番組を録画しているが、電子機器１００に内蔵された記憶媒体（例えば、内蔵ＨＤＤ）にも外付け記憶媒体と同様に番組を録画するようにしてもよい。また、外付け記憶媒体毎にタイムシフト録画用、予約録画用に割り当てているが、一つの外付け記憶媒体をタイムシフト録画用及び予約録画用として割り当てるように構成してもよい。さらに、電子機器１００への外付け記憶媒体の接続及び／又は接続解除を制御回路１１０にて検知した場合、番組の録画を電子機器１００に接続された外付け記憶媒体に割り当てなおすように構成してもよい。
【００８７】
（その他の実施形態）
なお、本発明は上記実施形態そのままに限定されるものではなく、実施段階ではその要旨を逸脱しない範囲で構成要素を変形して具体化できる。例えば、上記実施形態では、外付け記憶媒体だけに番組を録画しているが、電子機器１００に内蔵された記憶媒体（例えば、内蔵ＨＤＤ）にも外付け記憶媒体と同様に番組を録画するようにしてもよい。
【符号の説明】
【００８８】
１，２…アンテナ、３…リモートコントローラ（リモコン）、１００…電子機器、１０１…選局回路、１０１Ａ〜１０１Ｄ…チューナ、１０２…復調回路、１０３…信号処理回路、１０４…グラフィック処理回路、１０５…信号生成回路、１０６…音声処理回路、１０７…スピーカ、１０８…映像処理回路、１０９…ディスプレイ、１１０…制御回路（決定部、容量取得部、録画容量算出部、表示制御部）、１１０Ａ…ＲＯＭ、１１０Ｂ…ＲＡＭ、１１０Ｃ…不揮発性メモリ、１１０Ｄ…ＣＰＵ、１１１…操作部、１１２…受光部、１１３Ａ，１１３Ｂ…端子、１１４Ａ，１１４Ｂ…インターフェース。
【図１】
2014049915.tif 000004
【図２】
2014049915.tif 000005
【図３】
2014049915.tif 000006
【図４】
2014049915.tif 000007
【図５】
2014049915.tif 000008
【図６】
2014049915.tif 000009
【図７】
2014049915.tif 000010
【図８】
2014049915.tif 000011
【図９】
2014049915.tif 000012
【図１０】
2014049915.tif 000013
【図１１】
2014049915.tif 000014
【図１２】
2014049915.tif 000015
【図１３】
2014049915.tif 000016
【図１４】
2014049915.tif 000017
【図１５】
2014049915.tif 000018
【図１６】
2014049915.tif 000019
【図１７】
2014049915.tif 000020
【図１８】
2014049915.tif 000021
【図１９】
2014049915.tif 000022
【図２０】
2014049915.tif 000023